【手続補正書】
【提出日】平成23年7月1日(2011.7.1)
【手続補正１】
【補正対象書類名】特許請求の範囲
【補正対象項目名】全文
【補正方法】変更
【補正の内容】
【特許請求の範囲】
【請求項１】
複数のノード（１１０、１１１）を具備する同期通信ネットワークにおけるデータ送信方法であり、スーパーフレームが前記ネットワーク上においてネットワークサイクルに基づいて通信されるとともに複数のフレーム（３０１〜３０７）を含み、各フレームが前記ノードの１つに関連付けられる方法であって、
各フレームは、ノード自身のデータセクション（３１４）と反復データセクション（３１５）とを含むペイロード部分自体を含み、
前記複数のノードは、少なくとも１つの中継ノードを有し、該中継ノードは、少なくとも１つのシンクノードに送信される必要のある当該中継ノード自身のデータ（３１４）を生成するアプリケーションと関連付けられ、
前記中継ノードは：
−他のノードから到着するフレームを受信する受信ステップ（２０４）と；
−反復データを取得するのを可能にするために、前記受信したフレームからデータの所定の部分を読み出す読出ステップ（２０８）と；
−新しいフレームの反復データセクションに前記反復データを書き込む反復データ書込ステップ（２０８）と；
−前記新しいフレームのノード自身のデータセクションに前記中継ノード自身のデータを書き込む書込ステップ（２０７）と；
−前記新しいフレームを送信する送信ステップ（２０９）と
を実行することを特徴とする方法。
【請求項２】
反復データを取得するために使用される前記読出ステップ（２０８）において、前記受信したフレームの前記ノード自身のデータセクション（３１４）のデータの所定の部分のみが読み出される
ことを特徴とする請求項１記載の方法。
【請求項３】
反復データを取得するために使用される前記読出ステップ（２０８）は、各ノードに対する前記ノード自身のデータセクションのコンテンツを示す送信マトリクス（５１１）のコンテンツの機能として実行される
ことを特徴とする請求項１又は２記載の方法。
【請求項４】
各フレームの前記ノード自身のデータセクションは、所定の数のチャンクと呼ばれるデータブロックを含み、ｉ∈［１，Ｍ］であり且つＭがスーパーフレーム毎のチャンクの最大数である場合に、前記送信マトリクス（５１１）は、ノード毎の各チャンクの順序ｉに対して、
−前記順序ｉのチャンクが前記ノードに関連付けられる前記フレームの前記ノード自身のデータセクションで送信されるべきか、
−前記順序ｉのチャンクが前記ノードに関連付けられる前記フレームの前記ノード自身のデータセクションで送信されるべきではないかを指示する
ことを特徴とする請求項３記載の方法。
【請求項５】
前記反復データ書込ステップは、各ノードに対する前記反復データセクションのコンテンツを示す再送信マトリクス（５１０）のコンテンツの機能として実行される
ことを特徴とする請求項１乃至４のいずれか１項に記載の方法。
【請求項６】
各フレームの前記ノード自身のデータセクションは、所定の数のチャンクと呼ばれるブロックを含み、ｉ∈［１，Ｍ］であり且つＭがスーパーフレーム毎のチャンクの最大数である場合に、前記再送信マトリクス（５１０）は、ノード毎の各チャンクの順序ｉに対して、
−前記順序ｉのチャンクが前記ノードに関連付けられる前記フレームの前記反復データセクションで再送信されるべきではないか、
−前記順序ｉに関連付けられ且つ現在のスーパーフレームで受信されたチャンクを取得する際に、前記順序ｉのチャンクが前記ノードに関連付けられる前記フレームの前記反復データセクションで再送信されるべきか、
−前記順序ｉに関連付けられ且つ直前のスーパーフレームで受信されたチャンクを取得する際に、前記順序ｉのチャンクが前記ノードに関連付けられる前記フレームの前記反復データセクションで再送信されるべきかを指示する
ことを特徴とする請求項５記載の方法。
【請求項７】
再送信されるチャンクが前記読出ステップ中に読み出されなかったために欠落している場合、パディングチャンク（１４０６）が前記欠落しているチャンクの代わりに前記新しいフレームの前記反復データセクションに書き込まれる
ことを特徴とする請求項５又は６記載の方法。
【請求項８】
受信した前記フレームの前記データをメモリ（５００）に格納する格納ステップ
を更に含み、
前記読出ステップにおいて、前記反復データが前記メモリにおいて読み出される
ことを特徴とする請求項１乃至７のいずれか１項に記載の方法。
【請求項９】
各フレームは、所定の数のチャンクと呼ばれるデータブロックを含み、前記受信したフレームの前記データを格納する各格納ステップは、各フレームのチャンク毎に、
−前記チャンクが第１の受信したコピーである場合、前記チャンクが前記メモリに格納されるステップと；
−前記チャンクが第１の受信したコピーではなく第２のコピーであり、第１のコピーが既に受信及び格納されている場合、前記第２のコピーが前記メモリに格納されないステップと
を含むことを特徴とする請求項８記載の方法。
【請求項１０】
各フレームは、所定の数のチャンクと呼ばれるデータブロックを含み、前記受信したフレームの前記データを格納する前記格納ステップは、各フレームのチャンク毎に、
−前記チャンクが第１の受信したコピーである場合、前記チャンクが前記メモリに格納されるステップと；
−前記チャンクが第１の受信したコピーではなく第２のコピーであり、第１のコピーが既に受信及び格納されている場合、前記第１のコピー及び前記第２のコピーの品質が比較され、少なくとも１つの品質基準に従って最良の品質を有する前記第１のコピー及び前記第２のコピーのいずれかがメモリに格納されるステップと
を含むことを特徴とする請求項８記載の方法。
【請求項１１】
複数のノード（１１０、１１１）を具備する同期通信ネットワークにおけるデータ受信方法であり、スーパーフレームが前記ネットワーク上においてネットワークサイクルに基づいて通信されるとともに複数のフレーム（３０１〜３０７）を含み、各フレームが前記ノードの１つに関連付けられる方法であって、
各フレームは、ノード自身のデータセクション（３１４）と反復データセクション（３１５）とを含むペイロード部分（３０９）自体を含み、
前記複数のノードに属するシンクノードは：
−他のノードから到着する前記フレームを受信するステップと；
−前記受信したフレームのうち少なくとも１つのフレームの前記ノード自身のデータセクションの所定の部分において前記シンクノード用の第１のデータを読み出すステップと；
−前記受信したフレームのうち少なくとも１つのフレームの前記反復データセクションの所定の部分において前記シンクノード用の第２のデータを読み出すステップと；
−前記読み出された第１のデータ及び第２のデータを処理するステップと
を実行することを特徴とする方法。
【請求項１２】
通信ネットワークからダウンロードが可能であるか、コンピュータが読み取り可能な媒体に記録されるか、プロセッサにより実行されるか、の少なくともいずれかに該当するコンピュータプログラムであって、コンピュータで実行される時に請求項１乃至１１のいずれか１項に記載の方法を実現するためのコンピュータプログラム。
【請求項１３】
全体又は部分的に取り外し可能であってもよく、コンピュータにより読み出し可能であってもよく、請求項１乃至１１のいずれか１項に記載の方法を実現するために前記コンピュータにより実行可能な命令の集合を格納可能な記憶手段。
【請求項１４】
複数のノードを具備する同期通信ネットワークに含まれる複数のノードに属する中継ノードであり、スーパーフレームは、前記ネットワーク上においてネットワークサイクルに基づいて通信されるとともに複数のフレームを含み、各フレームが前記ノードの１つに関連付けられ、前記複数のノードは、少なくとも１つの第１の送信側ノードを有し、該第１の送信側ノードは、少なくとも１つの第１のシンクノードに送信される必要のある当該第１の送信側ノード自身のデータを生成する第１のジェネレータアプリケーションと関連付けられ、前記中継ノードは、少なくとも１つの第２のシンクノードに送信される必要のある当該中継ノード自身のデータを生成する第２のジェネレータアプリケーションと関連付けられ、前記中継ノードは：
−各フレームが、ノード自身のデータセクションと反復データセクションとを含むペイロード部分自体を含み、他のノードから到着するフレームを受信する受信手段と；
−反復データを取得するのを可能にするために、前記受信したフレームからデータの所定の部分を読み出す読出手段と；
−新しいフレームの反復データセクションに前記反復データを書き込む反復データ書込手段と；
−前記新しいフレームのノード自身のデータセクションに前記中継ノード自身のデータを書き込む書込手段と；
−前記新しいフレームを送信する送信手段と
を具備することを特徴とする中継ノード。
【請求項１５】
反復データを取得するために使用される前記読出手段は、前記受信したフレームの前記ノード自身のデータセクションのデータの所定の部分のみを読み出す
ことを特徴とする請求項１４記載の中継ノード。
【請求項１６】
反復データを取得するために使用される前記読出手段は、ノード毎に前記ノード自身のデータセクションのコンテンツを示す送信マトリクス（５１１）を具備する
ことを特徴とする請求項１４又は１５記載の中継ノード。
【請求項１７】
各フレームのノード自身のデータセクションは、所定の数のチャンクと呼ばれるデータブロックを含み、ｉ∈［１，Ｍ］であり且つＭがスーパーフレーム毎のチャンクの最大数である場合に、前記送信マトリクス（５１１）は、ノード毎の各チャンクの順序ｉに対して、
−前記順序ｉのチャンクが前記ノードに関連付けられる前記フレームの前記ノード自身のデータセクションで送信されるべきか、
−前記順序ｉのチャンクが前記ノードに関連付けられる前記フレームの前記ノード自身のデータセクションで送信されるべきではないかを指示する
ことを特徴とする請求項１６記載の中継ノード。
【請求項１８】
前記反復データ書込手段は、各ノードに対する前記反復データセクションのコンテンツを示す再送信マトリクス（５１０）を具備する
ことを特徴とする請求項１４乃至１７のいずれか１項に記載の中継ノード。
【請求項１９】
各フレームの前記ノード自身のデータセクションは、所定の数のチャンクと呼ばれるブロックを含み、ｉ∈［１，Ｍ］であり且つＭがスーパーフレーム毎のチャンクの最大数である場合に、前記再送信マトリクス（５１０）は、ノード毎の各チャンクの順序ｉに対して、
−前記順序ｉのチャンクが前記ノードに関連付けられる前記フレームの前記反復データセクションで再送信されるべきではないか、
−前記順序ｉに関連付けられ且つ現在のスーパーフレームで受信されたチャンクを取得する際に、前記順序ｉのチャンクが前記ノードに関連付けられる前記フレームの前記反復データセクションで再送信されるべきか、
−前記順序ｉに関連付けられ且つ直前のスーパーフレームで受信されたチャンクを取得する際に、前記順序ｉのチャンクが前記ノードに関連付けられる前記フレームの前記反復データセクションで再送信されるべきかを指示する
ことを特徴とする請求項１８記載の中継ノード。
【請求項２０】
再送信されるチャンクが前記読出手段により読み出されなかったために欠落している場合、前記反復データ書込手段は、前記欠落しているチャンクの代わりにパディングチャンクを前記新しいフレームの前記反復データセクションに書き込む
ことを特徴とする請求項１８又は１９記載の中継ノード。
【請求項２１】
前記中継ノードは、受信した前記フレームの前記データをメモリに格納する格納手段
を具備し、
前記読出手段は、前記メモリにおいて前記反復データを読み出す
ことを特徴とする請求項１４乃至２０のいずれか１項に記載の中継ノード。
【請求項２２】
各フレームは、所定の数のチャンクと呼ばれるデータブロックを含み、前記受信したフレームの前記データを格納する前記格納手段は、格納ポリシーに従って、各フレームのチャンク毎に、
−前記チャンクが第１の受信したコピーである場合、前記チャンクが前記メモリに格納される手段と；
−前記チャンクが第１の受信したコピーではなく第２のコピーであり、第１のコピーが既に受信及び格納されている場合、前記第２のコピーが前記メモリに格納されない手段と
を具備することを特徴とする請求項２１記載の中継ノード。
【請求項２３】
各フレームは、所定の数のチャンクと呼ばれるデータブロックを含み、前記受信したフレームの前記データを格納する前記格納手段は、格納ポリシーに従って、各フレームのチャンク毎に、
−前記チャンクが第１の受信したコピーである場合、前記チャンクが前記メモリに格納される手段と；
−前記チャンクが第１の受信したコピーではなく第２のコピーであり、第１のコピーが既に受信及び格納されている場合、前記第１のコピー及び前記第２のコピーの品質が比較され、少なくとも１つの品質基準に従って最良の品質を有する前記第１のコピー及び前記第２のコピーのいずれかがメモリに格納される手段と
を具備することを特徴とする請求項２１記載の中継ノード。
【請求項２４】
同期通信ネットワークに含まれる複数のノードに属するシンクノードであり、スーパーフレームがネットワークサイクルに基づいて通信されるとともに複数のフレームを含み、各フレームが前記ノードの１つに関連付けられるシンクノードであって：
−各フレームが、ノード自身のデータセクションと反復データセクションとを含むペイロード部分自体を含み、他のノードから到着する前記フレームを受信する手段と；
−前記受信したフレームのうち少なくとも１つのフレームの前記ノード自身のデータセクションの所定の部分において前記シンクノード用の第１のデータを読み出す読出手段と；
−前記受信したフレームのうち少なくとも１つのフレームの前記反復データセクションの所定の部分において前記シンクノード用の第２のデータを読み出す手段と；
−前記読み出された第１のデータ及び第２のデータを処理する手段と
を具備することを特徴とするシンクノード。
【手続補正２】
【補正対象書類名】明細書
【補正対象項目名】発明の名称
【補正方法】変更
【補正の内容】
【発明の名称】同期通信ネットワークにおける中継ノードによるデータ送信の方法、対応する受信方法、コンピュータプログラム、記憶手段及びノード
【手続補正３】
【補正対象書類名】明細書
【補正対象項目名】００４２
【補正方法】変更
【補正の内容】
【００４２】
別の実施形態において、本発明は、通信ネットワークからダウンロードが可能であるか、コンピュータが読み取り可能な媒体に記録されるか、プロセッサにより実行されるか、の少なくともいずれかに該当するコンピュータプログラムに関し、前記コンピュータプログラムは、コンピュータ上で実行される時に、上記送信方法、上記受信方法の少なくともいずれかを実現する。